(57)【要約】【課題】シリンダとピストンとの間から漏れた液体が駆動部に到達するのを簡易な構成で防止する。【解決手段】液体の吸入口および吐出口が軸方向の一端側に形成されたシリンダと、シリンダ内を摺動可能なピストンと、ピストンに連結され、シリンダの軸方向の他端側の端壁を摺動可能に貫通するピストンロッドと、ピストンロッドを往復動させる駆動部と、を備えるポンプ装置は、液体を排出する排出口がシリンダの軸方向の他端側に形成されている。【選択図】図７
2020084808.tif 000002
【特許請求の範囲】
【請求項１】
液体の吸入口および吐出口が軸方向の一端側に形成されたシリンダと、
前記シリンダ内を摺動可能なピストンと、
前記ピストンに連結され、前記シリンダの軸方向の他端側の端壁を摺動可能に貫通するピストンロッドと、
前記ピストンロッドを往復動させる駆動部と、
を備えるポンプ装置であって、
前記シリンダは、液体を排出する排出口が軸方向の他端側に形成されている
ポンプ装置。
【請求項２】
請求項１に記載のポンプ装置であって、
前記排出口に連通し、前記排出口から排出された液体を貯留可能な貯留部が設けられ、
前記貯留部は、前記吐出口に接続された吐出路に逆止弁を介して連通し、貯留した液体を前記吐出路に流出させる流出口が形成されている
ポンプ装置。
【請求項３】
請求項２に記載のポンプ装置であって、
円筒状に形成された２つの前記シリンダが隣接して設けられ、
前記貯留部は、２つの前記シリンダの円弧状の外壁の間に収まるように設けられる
ポンプ装置。
【請求項４】
請求項１ないし３のいずれか１項に記載のポンプ装置と、
給水源から供給される洗浄水を導入する導入路と、
前記導入路により導入された洗浄水を貯留すると共に前記導入路との間にエアギャップを形成する開放式のタンクと、
人体局部に向けて洗浄水を噴射する洗浄ノズルと、
を備える洗浄便座装置であって、
前記ポンプ装置は、前記タンクに貯留された洗浄水を前記吸入口を介して吸入し、前記吐出口を介して洗浄水を吐出して前記洗浄ノズルに供給する
洗浄便座装置。
【発明の詳細な説明】
【技術分野】
【０００１】
本発明は、ポンプ装置および洗浄便座装置に関する。
【背景技術】
【０００２】
従来、この種のポンプ装置としては、人体局部を洗浄する洗浄便座装置に用いられ、シリンダ内をピストンが往復動することにより、吸入口から洗浄水を吸入して吐出口から吐出するものが提案されている（例えば、特許文献１参照）。このポンプ装置は、シリンダの軸方向の一端側に吸入口と吐出口とが設けられており、ピストンの外周面に取り付けられるシール部材により、シリンダとピストンとの間から軸方向の他端側に洗浄水が漏れるのを防止している。
【先行技術文献】
【特許文献】
【０００３】
【特許文献１】特許第３８８２５７０号公報
【発明の概要】
【発明が解決しようとする課題】
【０００４】
しかしながら、上述したポンプ装置において、シール部材の経年劣化や損傷などが生じると、シリンダとピストンとの間から軸方向の他端側に洗浄水が漏れることがある。そうなると、ピストンに連結されたピストンロッドとシリンダの端壁との摺動部分から洗浄水が漏れて、ピストン（ピストンロッド）を駆動させるモータやギヤ機構を含む駆動部に浸入するなど装置に悪影響を及ぼすおそれがある。
【０００５】
本発明は、シリンダとピストンとの間から漏れた液体が駆動部に到達するのを簡易な構成で防止することを主目的とする。
【課題を解決するための手段】
【０００６】
本発明は、上述の主目的を達成するために以下の手段を採った。
【０００７】
本発明のポンプ装置は、
液体の吸入口および吐出口が軸方向の一端側に形成されたシリンダと、
前記シリンダ内を摺動可能なピストンと、
前記ピストンに連結され、前記シリンダの軸方向の他端側の端壁を摺動可能に貫通するピストンロッドと、
前記ピストンロッドを往復動させる駆動部と、
を備えるポンプ装置であって、
前記シリンダは、液体を排出する排出口が軸方向の他端側に形成されている
ことを要旨とする。
【０００８】
本発明のポンプ装置では、シリンダは、軸方向の一端側に液体の吸入口および吐出口が形成され、液体を排出する排出口が軸方向の他端側に形成されている。これにより、シリンダとピストンとの間から軸方向の他端側に液体が漏れた場合でも、その液体を排出口から排出することができるから、シリンダとピストンとの間から液体が漏れるのを防止することができる。このため、シリンダとピストンとの間から漏れた液体が駆動部に到達するのを、排出口を形成する簡易な構成で防止することができる。なお、シリンダは、径方向に液体を排出する排出口が軸方向の他端側に形成されているものなどとしてもよい。
【０００９】
本発明のポンプ装置において、前記排出口に連通し、前記排出口から排出された液体を貯留可能な貯留部が設けられ、前記貯留部は、前記吐出口に接続された吐出路に逆止弁を介して連通し、貯留した液体を前記吐出路に流出させる流出口が形成されているものとすることもできる。こうすれば、排出された液体を貯留して吐出路に流出させることができるから、シリンダとピストンとの間から漏れた液体を有効に利用することができる。また、貯留部に貯留された液体は自重で逆止弁を開いて吐出路に流出するから、簡易な構成で漏れた液体を有効に利用することができる。
【００１０】
本発明のポンプ装置において、円筒状に形成された２つの前記シリンダが隣接して設けられ、前記貯留部は、２つの前記シリンダの円弧状の外壁の間に収まるように設けられるものとすることもできる。こうすれば、貯留部を設けても、ポンプ装置をコンパクトな構成とすることができる。
【００１１】
本発明の洗浄便座装置は、
上述したいずれかのポンプ装置と、
給水源から供給される洗浄水を導入する導入路と、
前記導入路により導入された洗浄水を貯留すると共に前記導入路との間にエアギャップを形成する開放式のタンクと、
人体局部に向けて洗浄水を噴射する洗浄ノズルと、
を備える洗浄便座装置であって、
前記ポンプ装置は、前記タンクに貯留された洗浄水を前記吸入口を介して吸入し、前記吐出口を介して洗浄水を吐出して前記洗浄ノズルに供給する
ことを要旨とする。
【００１２】
本発明の洗浄便座装置は、上述したいずれかのポンプ装置を備えるから、本発明のポンプ装置が奏する効果、即ちシリンダとピストンとの間から漏れた液体としての洗浄水が駆動部に到達するのを、排出口を形成する簡易な構成で防止する効果を奏するものとなる。
【図面の簡単な説明】
【００１３】
【図１】洗浄便座装置１０の構成の概略を示す構成図である。
【図２】給水路２０とノズルユニット３０の構成の概略を示す構成図である。
【図３】脈動ポンプ４０の側面図である。
【図４】脈動ポンプ４０の下面図である。
【図５】図３のＡ−Ａ断面図である。
【図６】ポンプボディ４２の構成図である。
【図７】図４のＢ−Ｂ断面図である。
【図８】図４のＣ−Ｃ断面図である。
【図９】図４のＤ−Ｄ断面図である。
【図１０】漏れた水が移動する様子を示す説明図である。
【発明を実施するための形態】
【００１４】
発明を実施するための形態について図面を参照しながら説明する。
【００１５】
図１は、洗浄便座装置１０の構成の概略を示す構成図であり、図２は、給水路２０とノズルユニット３０の構成の概略を示す構成図である。洗浄便座装置１０は、図１に示すように、便器１の上面に取り付けられ、便座装置本体１２と、便座装置本体１２に対して開閉可能に支持された便座１４と、便座装置本体１２に対して開閉可能に支持された便蓋１６と、使用者による各種操作が可能な操作パネル１８と、洗浄水を供給する給水路２０（図２参照）と、供給された洗浄水を人体局部に向けて噴射するノズルユニット３０と、装置全体を制御する制御装置３８（図２参照）と、を備える。
【００１６】
給水路２０は、図２に示すように、図示しない給水源に接続された一次側流路２１と、ノズルユニット３０に接続された二次側流路２２とにより構成され、一次側流路２１に給水バルブ２３が設けられ、一次側流路２１と二次側流路２２との間に開放式タンク２４が設けられ、二次側流路２２に脈動ポンプ４０と熱交換ユニット２６とが設けられている。
【００１７】
給水バルブ２３は、給水源から供給された水の通水と止水とを選択的に切り替える。開放式タンク２４は、一次側流路２１との間にエアギャップを形成するエアギャップ装置であり、一次側流路２１から導入された水を貯留し、貯留した水を脈動ポンプ４０の吸引により二次側流路２２に流出させる。この開放式タンク２４には、排水口２４ａが設けられており、貯留されている水が所定量に到達すると排水口２４ａから排水させる。また、開放式タンク２４のエアギャップにより、ノズルユニット３０から二次側流路２２に流入した汚水などが、一次側流路２１（給水源側）に逆流するのを防止している。脈動ポンプ４０は、開放式タンク２４から洗浄水を吸引し、吸引した洗浄水を熱交換ユニット２６（ノズルユニット３０側）に吐出する。熱交換ユニット２６は、脈動ポンプ４０から吐出された洗浄水を例えばセラミックヒータなどにより瞬間的に加熱してノズルユニット３０に出力する。なお、二次側流路２２には、これらの他に、洗浄水の流量を検出する流量センサや熱交換ユニット２６により加熱された洗浄水の温度を検出する温度センサなどが設けられている。
【００１８】
ノズルユニット３０は、流路切替弁３１と、Ｙ字分岐３２と、おしり洗浄ノズル３３と、ビデ洗浄ノズル３４と、ノズル洗浄器３５とを備える。おしり洗浄ノズル３３は、パワフルな洗浄水を噴射する直進流噴射口３３ａと、マイルドな洗浄水を噴射する多孔流噴射口３３ｂとが先端側に形成され、図示しない駆動装置により洗浄位置と待機位置との間を進退移動する。ビデ洗浄ノズル３４は、マイルドな洗浄水を噴射する多孔流噴射口３４ａが先端側に形成され、図示しない駆動装置により洗浄位置と待機位置との間を進退移動する。ノズル洗浄器３５は、おしり洗浄ノズル３３およびビデ洗浄ノズル３４の上方に設けられ、待機位置にあるおしり洗浄ノズル３３の先端側に洗浄水を吐出するおしりノズル洗浄口３５ａと、待機位置にあるビデ洗浄ノズル３４の先端側に洗浄水を吐出するビデノズル洗浄口３５ｂとが形成されている。
【００１９】
流路切替弁３１は、二次側流路２２の熱交換ユニット２６から出力された洗浄水が導入され、選択したいずれかの出力先に出力する。この流路切替弁３１は、おしり洗浄ノズル３３の直進流噴射口３３ａと、おしり洗浄ノズル３３の多孔流噴射口３３ｂと、ビデ洗浄ノズル３４の多孔流噴射口３４ａと、おしりノズル洗浄口３５ａおよびビデノズル洗浄口３５ｂに接続されたＹ字分岐３２とのいずれかに出力先を選択的に切り替えるように構成されている。なお、出力先としてＹ字分岐３２が選択されている場合、流路切替弁３１から出力された洗浄水は、おしりノズル洗浄口３５ａおよびビデノズル洗浄口３５ｂから吐出される。
【００２０】
操作パネル１８には、おしりパワフル洗浄を指示するパワフル洗浄スイッチやおしりマイルド洗浄を指示するマイルド洗浄スイッチ、ビデ洗浄を指示するビデ洗浄スイッチ、洗浄の停止を指示する停止スイッチ、洗浄水の温度を調整する温度調整スイッチ、洗浄水の勢いを調整する水勢調整スイッチなどが設けられている。
【００２１】
制御装置３８は、使用者が操作パネル１８を介して入力した操作信号や流量センサにより検出された流量、温度センサにより検出された温度などを入力する。また、制御装置３８は、入力した操作信号などに基づいて、給水バルブ２３や脈動ポンプ４０、熱交換ユニット２６、流路切替弁３１、おしり洗浄ノズル３３の駆動装置、ビデ洗浄ノズル３４の駆動装置などに制御信号を出力する。
【００２２】
以下、脈動ポンプ４０の構成を説明する。図３は、脈動ポンプ４０の側面図であり、図４は、脈動ポンプ４０の下面図であり、図５は、図３のＡ−Ａ断面図であり、図６は、ポンプボディ４２の構成図である。また、図７は、図４のＢ−Ｂ断面図であり、図８は、図４のＣ−Ｃ断面図であり、図９は、図４のＤ−Ｄ断面図である。脈動ポンプ４０は、図３，図４に示すように、ポンプ部４０ａと、駆動部４０ｂとを備える。ポンプ部４０ａのポンプカバー４１には、二次側流路２２を構成するホースが接続され開放式タンク２４から吸引した洗浄水が吸入される吸入継手４１ａと、二次側流路２２を構成するホースが接続され熱交換ユニット２６側に洗浄水を吐出する吐出継手４１ｂとが設けられている。
【００２３】
ポンプ部４０ａは、ポンプカバー４１が取り付けられるポンプボディ４２と、ポンプボディ４２内に横並びに形成された２つのシリンダ４３と、各シリンダ４３内を軸方向（上下方向）に往復動する２つのピストン４６と、各ピストン４６にそれぞれ連結される２つのピストンロッド４７と、駆動部４０ｂとの境界に配設されシリンダ４３の上端壁を形成するプレート４８とを備える。なお、図６では、ポンプカバー４１を取り外した状態で、ポンプボディ４２のシリンダ４３の構成を示す。各シリンダ４３は、吸入継手４１ａに逆止弁４５ａを介して連通する吸入口４４ａと、吐出継手４１ｂに逆止弁４５ｂを介して連通する吐出口４４ｂとが、軸方向の一端側（図中下端）の端壁に形成されている。また、ピストンロッド４７は、各シリンダ４３の軸方向の他端側（図中上端）の端壁であるプレート４８を貫通して、外部（駆動部４０ｂ側）に突出している。シリンダ４３は、吸入口４４ａおよび吐出口４４ｂが形成された軸方向の一端側の第１空間４３ａと、ピストンロッド４７が配設される軸方向の他端側の第２空間４３ｂとに、ピストン４６によって区画される。各ピストン４６の外周面には、シール部材４６ａが取り付けられており、ピストン４６の外周面とシリンダ４３の内周面との隙間を通って第１空間４３ａから第２空間４３ｂへ水が漏れるのを抑制する。また、プレート４８に形成されたピストンロッド４７用の貫通孔には、シール部材４８ａが取り付けられており、第２空間４３ｂに漏れた水が駆動部４０ｂ側へ漏れるのを抑制する。
【００２４】
また、各シリンダ４３は、軸方向の他端側である第２空間４３ｂの側壁に、径方向に水を排出するための排出口４４ｃが設けられている。本実施形態では、各シリンダ４３の側壁の一部を、プレート４８との間から水が流出可能な隙間を有するように一段低く形成することで、排出口４４ｃが設けられている。また、横並びの２つのシリンダ４３の各排出口４４ｃが互いに対向するように設けられている。図６に示すように、ポンプボディ４２には、２つのシリンダ４３の間に、上面視で略三角形状の貯留室４９が形成されている。貯留室４９は、上部で各シリンダ４３の排出口４４ｃにそれぞれ連通しており、排出口４４ｃから排出された水が貯留される。この貯留室４９は、２つのシリンダ４３の円弧状の外壁の間に収まるように設けられている。また、貯留室４９の下端壁には、逆止弁４５ｃを介して吐出継手４１ｂに連通し貯留した水を吐出継手４１ｂに流出させる流出口４９ａが形成されている。
【００２５】
駆動部４０ｂは、モータ５０と、モータ５０の回転軸５１が貫通する貫通孔が形成されモータ５０が取り付けられるギヤケース５２と、ギヤケース５２内で回転軸５１と一体回転するように回転軸５１に取り付けられたウォーム５３と、ウォーム５３に噛合するウォームホイール５４と、ウォームホイール５４を挟んで両側（左右両側）に配設された２つの偏心カム５５と、矩形状の枠内に各偏心カム５５がそれぞれ嵌め込まれると共にギヤケース５２内を上下方向にスライド可能な２つのスライド部材５７とを備える。スライド部材５７は、下部にピストンロッド４７が連結されている。
【００２６】
この駆動部４０ｂは、モータ５０の駆動により、ウォーム５３に噛合するウォームホイール５４が回転すると、偏心カム５５が偏心しながら回転することで上下方向に変位するため、スライド部材５７が上下方向に往復動する。即ち、ウォーム５３とウォームホイール５４と偏心カム５５とスライド部材５７とにより、モータ５０の回転運動を直線運動に変換している。また、スライド部材５７の往復動によって、スライド部材５７に連結されたピストンロッド４７およびそのピストンロッド４７に連結されたピストン４６を上下方向に往復動させる。ウォームホイール５４の両側に配設された２つの偏心カム５５は、ウォームホイール５４の回転軸に対して同じ偏心量で上下方向に互い違いとなる位置に配設されている。このため、２つのスライド部材５７は、ウォームホイール５４の回転により上下方向に互い違いにスライドしながら往復動することになるから、２つのピストン４６（ピストンロッド４７）も上下方向に互い違いに往復動することになる。
【００２７】
こうして構成された洗浄便座装置１０では、使用者による操作パネル１８の操作によって洗浄動作（おしりパワフル洗浄やおしりマイルド洗浄、ビデ洗浄）が指示されると、流路切替弁３１を指示に対応する出力先に切り替えると共に対応する洗浄ノズルを洗浄位置まで前進させ、脈動ポンプ４０を駆動して局部洗浄を行う。脈動ポンプ４０では、駆動部４０ｂのモータ５０ａを駆動してピストン４６が往復動すると、シリンダ４３の第１空間４３ａの容積が増減する。それに伴って逆止弁４５ａ，４５ｂが開閉して、吸入継手４１ａから吸入口４４ａを介して第１空間４３ａ内に洗浄水を吸入したり第１空間４３ａから吐出口４４ｂを介して吐出継手４１ｂに洗浄水を吐出したりする。脈動ポンプ４０は、このような吸入と吐出を繰り返すことで、開放式タンク２４から洗浄水を吸い上げてノズルユニット３０側に洗浄水を供給（吐出）する。また、脈動ポンプ４０から吐出される洗浄水は脈動を伴うから、洗浄水が各噴射口から人体局部に噴射された際の洗浄感を高めることができる。なお、本実施形態では、脈動ポンプ４０が２つのシリンダ４３を備えて２つのピストン４６が互い違いに往復動するため、例えば、水勢が最も弱く設定されるなどモータ５０の回転数が小さくなる場合でも脈動の周波数が大きく低下するのを抑えて、洗浄感が損なわれるのを抑制することができる。
【００２８】
ここで、脈動ポンプ４０は、ピストン４６に取り付けられたシール部材４６ａに経年劣化や損傷が生じて、第１空間４３ａから第２空間４３ｂへ水（洗浄水）が漏れ易くなる場合がある。また、プレート４８の貫通孔に取り付けられたシール部材４８ａに経年劣化や損傷が生じて、第２空間４３ｂから駆動部４０ｂへ水が漏れやすくなる場合がある。図１０は、漏れた水が移動する様子を示す説明図である。本実施形態では、シリンダ４３の第２空間４３ｂの側壁に排出口４４ｃを設けたから、第１空間４３ａから第２空間４３ｂへ水が漏れても（図１０（１））、排出口４４ｃから水を排出することができる（図１０（２））。このため、第２空間４３ｂに漏れた水が駆動部４０ｂ側に浸入するのを防止することができる。また、排出口４４ｃは、貯留室４９に連通しているから、排出口４４ｃから排出された水が貯留室４９に貯留される（図１０（３））。貯留室４９に貯留された水は、その自重によって水圧が高まると、逆止弁４５ｃを開いて流出口４９ａから吐出継手４１ｂ内に流出する（図１０（４））。このため、第１空間４３ａから第２空間４３ｂへ漏れた水を、局部洗浄の洗浄水として吐出継手４１ｂから二次側流路２２に戻すことができるから（図１０（５））、漏れた水を有効に利用することができる。
【００２９】
以上説明した本実施形態の脈動ポンプ４０は、シリンダ４３の第２空間４３ｂの側壁に排出口４４ｃが形成されているから、シリンダ４３の第１空間４３ａから第２空間４３ｂへ漏れた水を外部に排出して、駆動部４０ｂに浸入するのを防止することができる。
【００３０】
また、脈動ポンプ４０は、排出口４４ｃに連通する貯留室４９が設けられ、貯留室４９は吐出継手４１ｂに逆止弁４５ｃを介して連通し、漏れた水（貯留された水）を洗浄水として流出口４９ａから吐出継手４１ｂ（二次側流路２２）に戻すことができる。また、貯留室４９に貯留された水は、自重で逆止弁４５ｃを開いて吐出継手４１ｂに流出するから、簡易な構成で漏れた水を有効に利用することができる。
【００３１】
また、脈動ポンプ４０は、２つのシリンダ４３が隣接して設けられ、貯留室４９が２つのシリンダ４３の円弧状の外壁の間に収まるように設けられるから、貯留室４９を設けても、ポンプボディ４２が大型化することなく脈動ポンプ４０をコンパクトな構成とすることができる。
【００３２】
また、脈動ポンプ４０を、開放式タンク２４からの洗浄水の吸い上げと脈動の発生とに兼用することができるから、別々のポンプを用いるものに比してコストダウンを図るだけでなく洗浄便座装置１０（便座装置本体１２）が大型化するのを抑制することができる。
【００３３】
実施形態では、脈動ポンプ４０のポンプボディ４２にシリンダ４３が２つ設けられるものとしたが、これに限られず、シリンダ４３が１つだけ設けられるものとしてもよいし、シリンダ４３が３以上の複数設けられるものとしてもよい。
【００３４】
実施形態では、貯留室４９が２つのシリンダ４３の間に収まるように設けられるものとしたが、これに限られず、２つのシリンダ４３の間からはみ出るように設けられるものとしてもよいし、２つのシリンダ４３の間以外の別の場所に設けられるものとしてもよい。
【００３５】
実施形態では、貯留室４９を設け、排出口４４ｃから排出された水が貯留室４９に貯留されてから吐出側（吐出継手４１ｂ）に流出するものとしたが、これに限られず、貯留室４９を設けずに、排出口４４ｃから外部に水を排出させるものであればよい。例えば、排出口４４ｃから排出された水が、便器１内に流出するものなどとしてもよい。
【００３６】
実施形態では、開放式タンク２４からの洗浄水の吸い上げと脈動の発生とに脈動ポンプ４０を兼用するものとしたが、これに限られず、洗浄水の吸い上げ用のポンプを、脈動ポンプとは別に設けるものなどとしてもよい。
【００３７】
実施形態では、排出口４４ｃがシリンダ４３の径方向に水を排出するものとしたが、これに限られず、排出口は第２空間４３ｂへ漏れた水を外部に排出するものであればよく、例えば排出口が軸方向と径方向との間の斜め方向に水を排出するものなどとしてもよい。
【００３８】
実施形態では、脈動ポンプ４０が洗浄便座装置１０で人体局部の洗浄に用いられるものを例示したが、これに限られず、洗浄便座装置１０以外の他の用途に用いられるものであってもよい。また、液体として人体局部の洗浄に用いられる洗浄水を例示したが、これに限られず、人体局部以外の洗浄に用いられる洗浄水であってもよいし、給水源から供給される水（水道水）以外の水であってもよいし、水以外の他の液体であってもよい。
【００３９】
実施形態の主要な要素と課題を解決するための手段の欄に記載した発明の主要な要素との対応関係について説明する。実施形態では、吸入口４４ａが「吸入口」に相当し、吐出口４４ｂが「吐出口」に相当し、シリンダ４３が「シリンダ」に相当し、ピストン４６が「ピストン」に相当し、ピストンロッド４７が「ピストンロッド」に相当し、駆動部４０ｂが「駆動部」に相当し、脈動ポンプ４０が「ポンプ装置」に相当し、排出口４４ｃが「排出口」に相当する。また、貯留室４９が「貯留部」に相当し、逆止弁４５ｃが「逆止弁」に相当し、吐出継手４１ｂが「吐出路」に相当し、流出口４９ａが「流出口」に相当する。また、一次側流路２１が「導入路」に相当し、開放式タンク２４が「タンク」に相当し、おしり洗浄ノズル３３やビデ洗浄ノズル３４が「洗浄ノズル」に相当し、洗浄便座装置１０が「洗浄便座装置」に相当する。
【００４０】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００４１】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００４２】
本発明は、ポンプ装置や洗浄便座装置の製造産業などに利用可能である。
【符号の説明】
【００４３】
１  便器、１０  便座装置、１２  便座装置本体、１４  便座、１６  便蓋、１８  操作パネル、２０  給水路、２１  一次側流路、２２  二次側流路、２３  給水バルブ、２４  開放式タンク、２４ａ  排水口、２６  熱交換ユニット、３０  ノズルユニット、３１  切替バルブ、３２  Ｙ字分岐、３３  おしり洗浄ノズル、３３ａ  直進流噴射口、３３ｂ，３４ａ  多孔流噴射口、３４  ビデ洗浄ノズル、３５  ノズル洗浄器、３５ａ  おしりノズル洗浄口、３５ｂ  ビデノズル洗浄口、３８  制御装置、４０  脈動ポンプ、４０ａ  ポンプ部、４０ｂ  駆動部、４１  ポンプカバー、４１ａ  吸入継手、４１ｂ  吐出継手、４２  ポンプボディ、４３  シリンダ、４３ａ  第１空間、４３ｂ  第２空間、４４ａ  吸入口、４４ｂ  吐出口、４４ｃ  排出口、４５ａ，４５ｂ，４５ｃ  逆止弁、４６  ピストン、４６ａ，４８ａ  シール部材、４７  ピストンロッド、４８  プレート、４９  貯留室、４９ａ  流出口、５０  モータ、５１  回転軸、５２  ギヤケース、５３  ウォーム、５４  ウォームホイール、５５  偏心カム、５７  スライド部材。
【図１】
2020084808.tif 000003
【図２】
2020084808.tif 000004
【図３】
2020084808.tif 000005
【図４】
2020084808.tif 000006
【図５】
2020084808.tif 000007
【図６】
2020084808.tif 000008
【図７】
2020084808.tif 000009
【図８】
2020084808.tif 000010
【図９】
2020084808.tif 000011
【図１０】
2020084808.tif 000012